(57)【要約】      （修正有）【課題】カレンダーに筆記具を備え付け易いカレンダー用ペンホルダーを提供する。【解決手段】カレンダー用ペンホルダー１０における略筒状（略四角筒状）のペン保持部１１は、取付部１２から離間した部分（例えば、第３折り線３と第４折り線４の間）が狭隘に形成されているので、比較的内部空間１１ａの幅が狭いペン保持部１１の狭隘部分にペンＰなどの筆記具が挟まれて保持され易くなっている。例えば、ペン保持部における比較的内部空間が広い箇所においてペンを挿し入れた後、そのペンをスライド移動させるようにすれば、ペン保持部における比較的内部空間が狭い狭隘部分においてペンが保持されるようになっているので、ペン保持部に保持されたペンがカレンダー用ペンホルダーから抜け落ち難くなっている。このようなカレンダー用ペンホルダーであれば、カレンダー５０にペンなどの筆記具を備え付け易い。【選択図】図４
0003234745.tif 000002
【実用新案登録請求の範囲】
【請求項１】
略長方形状を呈する薄板材がその長手方向と略直交する４本の折り線にて折り込まれ、前記薄板材の一端側の一の面が、前記薄板材の他端側の他の面に貼着されて形成された略角筒状のペン保持部と、
前記薄板材の他端側の一部が前記ペン保持部から突き出してなる部分であり、カレンダーに取り付けられる取付部と、
を備えたカレンダー用ペンホルダーであって、
前記４本の折り線は、前記薄板材の一端側から、第１折り線、第２折り線、第３折り線、第４折り線の順に設けられており、
前記薄板材が折り込まれてなる前記ペン保持部において、前記薄板材の一端側の端辺は前記第４折り線に沿わされており、
前記ペン保持部は、前記第１折り線と前記第２折り線の間および前記第３折り線と前記第４折り線の間が、前記第２折り線と前記第３折り線の間および前記第４折り線と前記第１折り線の間よりも狭い角筒状に形成されているとともに、前記第３折り線と前記第４折り線の間の方が前記第１折り線と前記第２折り線の間よりも狭く形成されていることを特徴とするカレンダー用ペンホルダー。
【請求項２】
前記ペン保持部における前記第１折り線と前記第２折り線の間の面が、前記取付部としての前記薄板材の面と鈍角を成すように、前記ペン保持部が形成されていることを特徴とする請求項１に記載のカレンダー用ペンホルダー。
【請求項３】
前記薄板材の一端側の一の面と前記薄板材の他端側の他の面とが貼着されている箇所は、前記薄板材の一端部と前記第１折り線の間の略中央側の一部分であり、
前記ペン保持部の内部空間に配されている前記薄板材の一端部が、前記第２折り線と前記第３折り線の間の面に近接するように、前記薄板材の一端側が撓まされていることを特徴とする請求項１又は２記載のカレンダー用ペンホルダー。
【請求項４】
前記薄板材の一端側の一の面と前記薄板材の他端側の他の面とが貼着されている箇所は、前記薄板材の一端部と前記第１折り線の間の略中央側の一部分であり、
前記ペン保持部における前記第１折り線近傍の領域は、前記取付部から離間するように弾性変形可能に構成されていることを特徴とする請求項１〜３のいずれか一項に記載のカレンダー用ペンホルダー。
【請求項５】
前記ペン保持部における前記第１折り線と前記第２折り線の間の一の面には、前記カレンダーの所定位置に対して位置合わせするためのマークが付されていることを特徴とする請求項１〜４のいずれか一項に記載のカレンダー用ペンホルダー。
【請求項６】
前記ペン保持部における前記第２折り線と前記第３折り線の間の一の面には、所望するプリントが施されてなる情報掲示部が設けられていることを特徴とする請求項１〜５のいずれか一項に記載のカレンダー用ペンホルダー。
【請求項７】
略長方形状を呈する薄板材がその長手方向と略直交する少なくとも２本の折り線にて折り込まれ、前記薄板材の一端側の一の面が、前記薄板材の他端側の他の面に貼着されて形成された略筒状のペン保持部と、
前記薄板材の他端側の一部が前記ペン保持部から突き出してなる部分であり、カレンダーに取り付けられる取付部と、
を備えたカレンダー用ペンホルダーであって、
略筒状の前記ペン保持部は、前記取付部から離間した部分が狭隘に形成されていることを特徴とするカレンダー用ペンホルダー。
【請求項８】
前記ペン保持部における前記薄板材の一の面には、所望するプリントが施されてなる情報掲示部が設けられていることを特徴とする請求項７に記載のカレンダー用ペンホルダー。
【考案の詳細な説明】
【技術分野】
【０００１】
本考案は、カレンダー用ペンホルダーに関する。
【背景技術】
【０００２】
従来、カレンダーに予定やメモなどを書き込む際に、筆記具を探す煩わしさを解消するため、カレンダーに筆記具を常時備え付けておくようにするカレンダー用ペンホルダーが知られている（例えば、特許文献１参照。）。
このカレンダー用ペンホルダーは、当該カレンダー用ペンホルダーをカレンダーに取り付けるための舌状部と、筆記具を差し込むための差し込み穴が形成されている受けだい等を備えており、カレンダーに取り付けられたカレンダー用ペンホルダーの差し込み穴に筆記具を差し込むことで、その筆記具がカレンダーに備え付けられるようになっている。
【先行技術文献】
【特許文献】
【０００３】
【特許文献１】特開平１０−２４６９２号公報
【考案の概要】
【考案が解決しようとする課題】
【０００４】
しかしながら、上記特許文献１のカレンダー用ペンホルダーの場合、差し込み穴に差し込む筆記具にキャップを取り付けたり輪ゴムなどを巻き付けたりして、その筆記具の径を一部大きくしなければ、筆記具が差し込み穴から抜け落ちてしまうことがあるという問題があった。
【０００５】
本考案の目的は、カレンダーに筆記具を備え付け易いカレンダー用ペンホルダーを提供することである。
【課題を解決するための手段】
【０００６】
以上の課題を解決するため、請求項１に記載の考案は、
略長方形状を呈する薄板材がその長手方向と略直交する４本の折り線にて折り込まれ、前記薄板材の一端側の一の面が、前記薄板材の他端側の他の面に貼着されて形成された略角筒状のペン保持部と、
前記薄板材の他端側の一部が前記ペン保持部から突き出してなる部分であり、カレンダーに取り付けられる取付部と、
を備えたカレンダー用ペンホルダーであって、
前記４本の折り線は、前記薄板材の一端側から、第１折り線、第２折り線、第３折り線、第４折り線の順に設けられており、
前記薄板材が折り込まれてなる前記ペン保持部において、前記薄板材の一端側の端辺は前記第４折り線に沿わされており、
前記ペン保持部は、前記第１折り線と前記第２折り線の間および前記第３折り線と前記第４折り線の間が、前記第２折り線と前記第３折り線の間および前記第４折り線と前記第１折り線の間よりも狭い角筒状に形成されているとともに、前記第３折り線と前記第４折り線の間の方が前記第１折り線と前記第２折り線の間よりも狭く形成されていることを特徴とする。
なお、４本の折り線は、薄板材の一の面からは山折り線、薄板材の他の面からは谷折り線となる。
【０００７】
請求項１に記載の考案によれば、カレンダー用ペンホルダーの取付部をカレンダーに取り付けることで、略角筒状のペン保持部をカレンダーに配設することができる。
このカレンダー用ペンホルダーにおける略角筒状（四角筒状）のペン保持部は、第３折り線と第４折り線の間の方が第１折り線と第２折り線の間よりも狭く形成されているので、比較的内部空間の幅が広いペン保持部の取付部寄りの箇所においてペンなどの筆記具を挿し入れ易くなっており、また比較的内部空間の幅が狭いペン保持部の取付部から離間した箇所においてペンなどの筆記具が挟まれて保持され易くなっている。
つまり、ペン保持部における比較的内部空間が広い箇所においてペンを挿し入れた後、そのペンをスライド移動させるようにすれば、ペン保持部における比較的内部空間が狭い箇所においてペンが保持されるようになっているので、ペン保持部に保持されたペンがカレンダー用ペンホルダーから抜け落ち難くなっている。
このようなカレンダー用ペンホルダーであれば、カレンダーにペンなどの筆記具を備え付け易く、また備え付けたペンなどの筆記具が抜け落ちないように保持することができる。
【０００８】
請求項２に記載の考案は、請求項１に記載のカレンダー用ペンホルダーにおいて、
前記ペン保持部における前記第１折り線と前記第２折り線の間の面が、前記取付部としての前記薄板材の面と鈍角を成すように、前記ペン保持部が形成されていることを特徴とする。
【０００９】
請求項２に記載の考案によれば、ペン保持部における第１折り線と第２折り線の間の面が、取付部としての薄板材の面と鈍角を成しているので、カレンダーに取り付けたカレンダー用ペンホルダーにおけるペン保持部がカレンダーに綴じられているカレンダー用紙に近接していても、カレンダー用紙とペン保持部との間に間隙ができるので、カレンダー用紙がペン保持部に引っ掛かることはなく、カレンダー用紙を好適にめくることができる。
【００１０】
請求項３に記載の考案は、請求項１又は２記載のカレンダー用ペンホルダーにおいて、
前記薄板材の一端側の一の面と前記薄板材の他端側の他の面とが貼着されている箇所は、前記薄板材の一端部と前記第１折り線の間の略中央側の一部分であり、
前記ペン保持部の内部空間に配されている前記薄板材の一端部が、前記第２折り線と前記第３折り線の間の面に近接するように、前記薄板材の一端側が撓まされていることを特徴とする。
【００１１】
請求項３に記載の考案によれば、ペン保持部の内部空間に配されている薄板材の一端部が、第２折り線と第３折り線の間の面に近接するように、薄板材の一端側が撓まされていることで板バネ状に形成されているので、ペン保持部の内部空間においてペンなどの筆記具が板バネ部分によって挟持されるようになり、ペンなどの筆記具がより好適にペン保持部に保持されるようになる。
特に、径が細いペン（筆記具）であってもペン保持部の内部空間において挟持され易くなるので、ペン保持部にペン（筆記具）がより好適に保持されるようになる。
【００１２】
請求項４に記載の考案は、請求項１〜３のいずれか一項に記載のカレンダー用ペンホルダーにおいて、
前記薄板材の一端側の一の面と前記薄板材の他端側の他の面とが貼着されている箇所は、前記薄板材の一端部と前記第１折り線の間の略中央側の一部分であり、
前記ペン保持部における前記第１折り線近傍の領域は、前記取付部から離間するように弾性変形可能に構成されていることを特徴とする。
【００１３】
請求項４に記載の考案によれば、ペン保持部における第１折り線近傍の領域を、取付部から離間させるように弾性変形させて撓らせるようにすることで、その部分のペン保持部の内部空間をその厚さ方向に幅を広げることができるので、径が太いペンなどの筆記具をカレンダー用ペンホルダーに備え付けることが可能になる。
【００１４】
請求項５に記載の考案は、請求項１〜４のいずれか一項に記載のカレンダー用ペンホルダーにおいて、
前記ペン保持部における前記第１折り線と前記第２折り線の間の一の面（外面）には、前記カレンダーの所定位置（例えば、予め設けられている目印）に対して位置合わせするためのマークが付されていることを特徴とする。
【００１５】
請求項５に記載の考案によれば、カレンダー用ペンホルダーをカレンダーの所定位置に取り付け易くなる。
【００１６】
請求項６に記載の考案は、請求項１〜５のいずれか一項に記載のカレンダー用ペンホルダーにおいて、
前記ペン保持部における前記第２折り線と前記第３折り線の間の一の面（外面）には、所望するプリントが施されてなる情報掲示部が設けられていることを特徴とする。
【００１７】
請求項６に記載の考案によれば、ペン保持部における一の面（外面）に、例えば、所望する文字や図柄がプリントされてなる情報掲示部が設けられていることによって、カレンダーを閲覧するユーザーに何らかの情報を提供したり、カレンダーに趣向性を付与したりすることができる。
【００１８】
請求項７に記載の考案は、
略長方形状を呈する薄板材がその長手方向と略直交する少なくとも２本の折り線にて折り込まれ、前記薄板材の一端側の一の面が、前記薄板材の他端側の他の面に貼着されて形成された略筒状のペン保持部と、
前記薄板材の他端側の一部が前記ペン保持部から突き出してなる部分であり、カレンダーに取り付けられる取付部と、
を備えたカレンダー用ペンホルダーであって、
略筒状の前記ペン保持部は、前記取付部から離間した部分が狭隘に形成されていることを特徴とする。
なお、少なくとも２本の折り線は、薄板材の一の面からは山折り線、薄板材の他の面からは谷折り線となる。
【００１９】
請求項７に記載の考案によれば、カレンダー用ペンホルダーの取付部をカレンダーに取り付けることで、略筒状のペン保持部をカレンダーに配設することができる。
このカレンダー用ペンホルダーにおける略筒状のペン保持部は、取付部から離間した部分が狭隘に形成されているので、比較的内部空間の幅が狭いペン保持部の狭隘部分にペンなどの筆記具が挟まれて保持され易くなっている。
つまり、ペン保持部における比較的内部空間が広い箇所においてペンを挿し入れた後、そのペンをスライド移動させるようにすれば、ペン保持部における比較的内部空間が狭い狭隘部分においてペンが保持されるようになっているので、ペン保持部に保持されたペンがカレンダー用ペンホルダーから抜け落ち難くなっている。
このようなカレンダー用ペンホルダーであれば、カレンダーにペンなどの筆記具を備え付け易く、また備え付けたペンなどの筆記具が抜け落ちないように保持することができる。
【００２０】
請求項８に記載の考案は、請求項７に記載のカレンダー用ペンホルダーにおいて、
前記ペン保持部における前記薄板材の一の面（外面）には、所望するプリントが施されてなる情報掲示部が設けられていることを特徴とする。
【００２１】
請求項８に記載の考案によれば、ペン保持部における一の面（外面）に、例えば、所望する文字や図柄がプリントされてなる情報掲示部が設けられていることによって、カレンダーを閲覧するユーザーに何らかの情報を提供したり、カレンダーに趣向性を付与したりすることができる。
【考案の効果】
【００２２】
本考案によれば、カレンダーに筆記具を備え付け易いカレンダー用ペンホルダーが得られる。
【図面の簡単な説明】
【００２３】
【図１】本実施形態のカレンダー用ペンホルダーを示す斜視図（ａ）と側面図（ｂ）である。
【図２】本実施形態のカレンダー用ペンホルダーの展開図であって、略長方形状を呈する薄板材を示しており、その薄板材の外面（一の面）と内面（他の面）をそれぞれ示している。
【図３】本実施形態のカレンダー用ペンホルダーを壁掛けカレンダーの台紙に取り付けた使用態様を示す正面図（ａ）と側面図（ｂ）である。
【図４】本実施形態のカレンダー用ペンホルダーを壁掛けカレンダーの最終ページに取り付けた使用態様を示す正面図（ａ）と側面図（ｂ）である。
【図５】カレンダー用ペンホルダーを壁掛けカレンダーの最終ページに取り付けた使用態様を示す側面図である。
【図６】カレンダー用ペンホルダーを壁掛けカレンダーの最終ページに取り付けた使用態様を示す側面図である。
【図７】複数のカレンダー用ペンホルダーを壁掛けカレンダーに取り付けた使用態様を示す正面図である。
【図８】カレンダー用ペンホルダーを卓上カレンダーの台紙に取り付けた使用態様を示す斜視図である。
【図９】カレンダー用ペンホルダーの変形例を示す側面図であり、筒断面が三角形を呈するペン保持部（ａ）と、筒断面が弓形を呈するペン保持部（ｂ）である。
【考案を実施するための形態】
【００２４】
以下、図面を参照して、本考案に係るカレンダー用ペンホルダーの実施形態について詳細に説明する。但し、以下に述べる実施形態には、本考案を実施するために技術的に好ましい種々の限定が付されているが、本考案の範囲を以下の実施形態及び図示例に限定するものではない。
【００２５】
図１（ａ）は、本実施形態のカレンダー用ペンホルダーを示す斜視図であり、図１（ｂ）は、本実施形態のカレンダー用ペンホルダーを示す側面図である。
また図２は、本実施形態のカレンダー用ペンホルダーの展開図であって、カレンダー用ペンホルダーとなる略長方形状の薄板材を示している。図２中、左側が薄板材の外面、右側が薄板材の内面を示している。
【００２６】
本実施形態のカレンダー用ペンホルダー１０は、例えば、図１（ａ）（ｂ）、図２に示すように、略長方形状を呈する薄板材１０ａを折り込んで形成したものである。
具体的には、このカレンダー用ペンホルダー１０は、略長方形状を呈する薄板材１０ａがその長手方向と略直交する４本の折り線（１，２，３，４）にて折り込まれ、薄板材１０ａの一端側の一の面が、薄板材１０ａの他端側の他の面に貼着されて形成された略角筒状のペン保持部１１と、薄板材１０ａの他端側の一部がペン保持部１１から突き出してなる部分であり、カレンダー５０（図３参照）に取り付けられる取付部１２と、を備えている。
本実施形態では薄板材１０ａとして、硬質紙（厚紙）を用いている。なお、薄板材１０ａとして薄い樹脂板を用いてもよい。
【００２７】
略長方形状を呈する薄板材１０ａに設けられている４本の折り線は、図２に示すように、薄板材１０ａの一端部１０１側から、第１折り線１、第２折り線２、第３折り線３、第４折り線４の順に設けられている。
本実施形態では、薄板材１０ａの一の面を外面、薄板材１０ａの他の面を内面としており、これら第１折り線１、第２折り線２、第３折り線３、第４折り線４は、薄板材１０ａの外面からは山折り線、薄板材１０ａの内面からは谷折り線となる。
【００２８】
そして、例えば、薄板材１０ａは、その長手方向に約１８０ｍｍ、短手方向に約５０ｍｍのサイズを有しており、薄板材１０ａの一端部１０１と第１折り線１の間を約４７ｍｍ、第１折り線１と第２折り線２の間を約１０ｍｍ、第２折り線２と第３折り線３の間を約４７ｍｍ、第３折り線３と第４折り線４の間を約９ｍｍ、第４折り線４と薄板材１０ａの他端部１０２の間を約６７ｍｍ、と設計している。
このように設計された薄板材１０ａは、各折り線にて区切られてなる５つの面を有している。
ここでは、薄板材１０ａの一端部１０１側から順に第一面部、第二面部、第三面部、第四面部、第五面部とする。
つまり、薄板材１０ａの一端部１０１と第１折り線１の間が第一面部、第１折り線１と第２折り線２の間が第二面部、第２折り線２と第３折り線３の間が第三面部、第３折り線３と第４折り線４の間が第四面部、第４折り線４と薄板材１０ａの他端部１０２の間が第五面部となる。
【００２９】
そして、薄板材１０ａの他端部１０２側となる第五面部の内面には、第１の貼着部材１０ｂと、第２の貼着部材１０ｃとが設けられている。
第１の貼着部材１０ｂは、薄板材１０ａの第五面部における他端部１０２と第４折り線４のそれぞれから離間した位置であって、第４折り線４寄りの位置に設けられている。
第２の貼着部材１０ｃは、薄板材１０ａの第五面部における他端部１０２に近接した位置に設けられている。
この第１の貼着部材１０ｂと第２の貼着部材１０ｃは、例えば、両面テープである。
第１の貼着部材１０ｂは、薄板材１０ａの他端部１０２側の第五面部の内面と、薄板材１０ａの一端部１０１側の第一面部の外面とを貼着するための部材である。
第２の貼着部材１０ｃは、カレンダー用ペンホルダー１０をカレンダー５０（図３参照）の一部に貼着するための部材である。
【００３０】
ペン保持部１１は、薄板材１０ａを各折り線（第１折り線１、第２折り線２、第３折り線３、第４折り線４）にて折り込み、薄板材１０ａの一端部１０１側の第一面部の外面と、薄板材１０ａの他端部１０２側の第五面部の内面とを、第１の貼着部材１０ｂによって貼着して形成した角筒状部であり、薄板材１０ａの短手方向に連通する内部空間１１ａを有している。
ここでは、薄板材１０ａの一端部１０１の端辺を第４折り線４に沿わせるように折り込んで、四角筒状のペン保持部１１を形成している。
薄板材１０ａが折り込まれてなるペン保持部１１は、薄板材１０ａの第一面部から第四面部と、第五面部の一部とで構成されている。
また、第１の貼着部材１０ｂによって、薄板材１０ａの一端側の外面（一の面）と薄板材１０ａの他端側の内面（他の面）とが貼着されている箇所は、図１（ｂ）に示すように、薄板材１０ａの一端部１０１と第１折り線１の間の略中央側の一部分であり、薄板材１０ａの一端部１０１寄りの領域と、薄板材の１０ａの第１折り線１寄りの領域は貼着されていない。
なお、第１の貼着部材１０ｂは両面テープであることに限らず、この箇所に塗布された接着剤（接着材）であってもよい。
【００３１】
そして、このペン保持部１１は、第１折り線１と第２折り線２の間および第３折り線３と第４折り線４の間が、第２折り線２と第３折り線３の間および第４折り線４と第１折り線１の間よりも狭い角筒状に形成されているとともに、第３折り線３と第４折り線４の間の方が第１折り線１と第２折り線２の間よりも狭く形成されている。
【００３２】
また、図１（ｂ）に示すように、ペン保持部１１における第１折り線１と第２折り線２の間の面が、取付部１２としての薄板材１０ａの面と鈍角を成すように、ペン保持部１１が形成されている。
【００３３】
また、図１（ａ）に示すように、ペン保持部１１における第１折り線１と第２折り線２の間の外面には、カレンダー５０の所定位置に設けられている目印Ｍ（図３参照）に対して位置合わせするためのマーク１３が付されている。
【００３４】
取付部１２は、カレンダー用ペンホルダー１０をカレンダー５０に取り付けるために形成された部分であり、薄板材１０ａの他端部１０２側における第２の貼着部材１０ｃが設けられた部分に形成されている。本実施形態では、薄板材１０ａの第五面部における他端部１０２側から約２０ｍｍの領域が取付部１２に相当している。
この取付部１２に設けられている第２の貼着部材１０ｃを、図３（ａ）（ｂ）に示すように、カレンダー５０の一部に貼着するようにして、カレンダー用ペンホルダー１０をカレンダー５０に取り付けることができる。
なお、第２の貼着部材１０ｃは両面テープであることに限らず、この箇所に塗布された接着剤（接着材）であってもよい。
【００３５】
ここでのカレンダー５０は、壁掛けタイプのカレンダーであり、暦に関する日付が記載されている複数枚のカレンダー用紙５１と、カレンダー用紙５１を裏支えする台紙５２とを備えており、複数枚のカレンダー用紙５１と台紙５２はその上縁が綴じ具５３によって綴じられている。
そして、ここでは取付部１２に設けられている第２の貼着部材１０ｃを台紙５２の裏面に貼着して、カレンダー用ペンホルダー１０をカレンダー５０に取り付けている。
特に、カレンダー５０の台紙５２の表面に設けられている目印Ｍに対してペン保持部１１に付されているマーク１３を位置合わせするようにすることで、カレンダー用ペンホルダー１０をカレンダー５０の所定位置に取り付けることができる。
【００３６】
また、台紙５２を備えていない壁掛けタイプのカレンダー５０であれば、図４（ａ）（ｂ）に示すように、カレンダー用紙５１の最終ページの裏面に取付部１２の第２の貼着部材１０ｃを貼着して、カレンダー用ペンホルダー１０をカレンダー５０に取り付けるようにすればよい。
なお、台紙５２を備えていないカレンダー５０の場合、カレンダー用紙５１の表紙に目印Ｍを設けておけば、カレンダー用ペンホルダー１０をカレンダー５０の所定位置に取り付けることができる。
【００３７】
このようにして、カレンダー用ペンホルダー１０の取付部１２をカレンダー５０に取り付けることで、略四角筒状のペン保持部１１をカレンダー５０に配設することができる。
こうしてカレンダー５０にカレンダー用ペンホルダー１０を取り付けておけば、図４（ａ）（ｂ）に示すように、ペン保持部１１の内部空間１１ａにペンＰなどの筆記具を挿し入れるようにして、カレンダー５０にペンＰを備え付けておくことができるので、カレンダー５０に予定やメモなどを書き込む度に筆記具を探すという煩わしさが無くなる。
ここでは、壁掛けタイプのカレンダー５０の下縁側にカレンダー用ペンホルダー１０を取り付けたので、カレンダー用ペンホルダー１０のペン保持部１１の内部空間１１ａは左右方向に連通している。
【００３８】
特に、このカレンダー用ペンホルダー１０は、ペン保持部１１における第３折り線３と第４折り線４の間隔が第１折り線１と第２折り線２の間隔よりも狭く形成されており、カレンダー５０にカレンダー用ペンホルダー１０を取り付けた姿勢において、ペン保持部１１の下部側ほど内部空間１１ａの厚さ方向の寸法が狭くなっているので、比較的内部空間１１ａの幅が広いペン保持部１１の上部側においてペンＰを挿し入れ易くなっており、また比較的内部空間１１ａの幅が狭いペン保持部１１の下部側においてペンＰが挟まれて保持され易くなっている。
つまり、比較的内部空間１１ａが広いペン保持部１１の上部側においてペンＰを挿し入れた後、そのペンＰを下げるようにすれば、ペン保持部１１の下部側でペンＰが保持されるようになっているので、ペン保持部１１に保持されたペンＰがカレンダー用ペンホルダー１０から抜け落ち難くなっている。
【００３９】
このように、本実施形態のカレンダー用ペンホルダー１０であれば、カレンダー５０にペンＰ（筆記具）を備え付け易く、また備え付けたペンＰ（筆記具）が抜け落ちないように保持することができる。
【００４０】
また、このカレンダー用ペンホルダー１０は、ペン保持部１１における第１折り線１と第２折り線２の間の面が、取付部１２としての薄板材１０ａの面と鈍角を成しており、例えば、図４（ｂ）に示すように、カレンダー５０に取り付けられたカレンダー用ペンホルダー１０のペン保持部１１とカレンダー用紙５１との間に間隙ができるので、カレンダー用紙５１がカレンダー用ペンホルダー１０（ペン保持部１１）に引っ掛かることはなく、カレンダー用紙５１を好適にめくることができる。
【００４１】
なお、本考案は上記実施形態に限られるものではない。
例えば、図５に示すように、ペン保持部１１の内部空間１１ａに配されている薄板材の一端部１０１が、第２折り線２と第３折り線３の間の面に近接するように、薄板材の一端側が撓まされているようにしてもよい。
このように、ペン保持部１１を構成している薄板材の一端部１０１側を、第２折り線２と第３折り線３の間の面に向けて撓ませるようにして板バネ状にすれば、ペン保持部１１の下部側において薄板材の一端部１０１側の板バネ部分にペンＰが挟持されるようになるので、ペンＰなどの筆記具がより好適にペン保持部１１に保持されるようになる。
特に、ペン保持部１１の内部空間１１ａに配されている薄板材の一端部１０１が板バネ状になっていれば、径が細いペンＰであってもペン保持部１１の下部側において挟持され易くなるので、ペン保持部１１にペンＰなどの筆記具がより好適に保持されるようになる。
【００４２】
また、図６に示すように、ペン保持部１１における第１折り線１近傍の領域が、取付部１２から離間するように弾性変形可能に構成されていることが好ましい。
このように、ペン保持部１１における第１折り線１近傍の領域を取付部１２から離間させるように撓らせるようにすれば、ペン保持部１１の上部側の内部空間１１ａをその厚さ方向に幅を広げることができるので、径が太いペンＰなどの筆記具をカレンダー用ペンホルダー１０に備え付けることが可能になる。
なお、ペン保持部１１における第１折り線１近傍の領域を取付部１２から離間させるように撓らせる際、ペン保持部１１における第２折り線２と第３折り線３の間の第三面部を外側に膨らませるように撓らせることで、ペン保持部１１の上部側の内部空間１１ａの幅をより広げることができる。
【００４３】
また、図７に示すように、カレンダー５０に取り付けたカレンダー用ペンホルダー１０に対してカレンダー用ペンホルダー１０を取り付けるようにして、カレンダー５０に複数のカレンダー用ペンホルダー１０を取り付けるようにしてもよい。
こうすることで、より多くのペンＰ（筆記具）をカレンダー５０に備え付けることができる。
ここでは、カレンダー用ペンホルダー１０の取付部１２をペン保持部１１の裏側に取り付けるようにして、複数のカレンダー用ペンホルダー１０を上下に連結している。
なお、連結するカレンダー用ペンホルダー１０の数は任意であり、ユーザーが必要とする個数を連結すればよい。
【００４４】
特に、図７に示すように、ペン保持部１１における第２折り線２と第３折り線３の間の一の面（外面）に、所望するプリントが施されてなる情報掲示部１４を設けるようにしてもよい。
情報掲示部１４は、例えば、所望する文字や図柄がプリントされてなるものであり、カレンダー５０を閲覧するユーザーに何らかの情報を提供したり、カレンダー５０に趣向性を付与したりするために設けられている。
例えば、情報掲示部１４を広告媒体として使用する場合には、店舗名やメーカー名とともにロゴマークやキャラクターなどの図柄の他、電話番号、ＵＲＬ、二次元コードなどをプリントすればよい。
また、情報掲示部１４を装飾用に使用してもよく、例えば、装飾文様、デザイン画、写真などをプリントしてもよい。
なお、情報掲示部１４は、薄板材１０ａに所望する印刷を施すことによって設けても、所望する印刷が施されたシールを貼付することによって設けてもよい。
【００４５】
また、上記実施形態では、壁掛けカレンダーにカレンダー用ペンホルダー１０を取り付けて使用する態様について説明したが、卓上カレンダーにカレンダー用ペンホルダー１０を取り付けて使用してもよい。
例えば、図８に示すように、卓上タイプのカレンダー５０は、暦に関する日付が記載されている複数枚のカレンダー用紙５１と、カレンダー用紙５１を裏支えする台紙５２とを備えており、複数枚のカレンダー用紙５１と台紙５２はその上縁がリング状の綴じ具５３によって綴じられている。
このカレンダー５０の台紙５２は、硬質紙（厚紙）が側面視略「４」字形状を呈するように折り曲げられて形成された略三角筒形状を有している。
そして、図８に示すように、取付部１２に設けられている第２の貼着部材１０ｃを、略三角筒形状を有する台紙５２の内面に貼着して、カレンダー用ペンホルダー１０をカレンダー５０に取り付けることができる。
ここでは、卓上タイプのカレンダー５０の台紙５２の側縁にカレンダー用ペンホルダー１０を取り付けたので、カレンダー用ペンホルダー１０のペン保持部１１の内部空間１１ａは上下方向に連通している。
このように、本実施形態のカレンダー用ペンホルダー１０は、卓上タイプのカレンダー５０にも壁掛けタイプのカレンダー５０にも取り付けることができるので、このカレンダー用ペンホルダー１０を用いるようにすれば、様々なカレンダー５０にペンＰ（筆記具）を備え付けることができる。
【００４６】
また、図９（ａ）に示すように、カレンダー用ペンホルダー１０のペン保持部１１は筒断面が四角形であることに限らず、筒断面が三角形を呈するペン保持部１１であってもよい。
筒断面が三角形を呈するペン保持部１１を備えているカレンダー用ペンホルダー１０の場合、略長方形状を呈する薄板材１０ａには、その一端部１０１側から、第１折り線１、第２折り線２、第３折り線３の順に、３本の折り線が設けられている。
このような略三角筒状のペン保持部１１であれば、取付部１２から離間した部分が狭隘に形成されているので、比較的内部空間１１ａが広い箇所から挿し入れたペンＰが、ペン保持部１１の下部側でホールドされるようになっているので、ペン保持部１１に保持されたペンＰがカレンダー用ペンホルダー１０から抜け落ち難い。
【００４７】
また、このカレンダー用ペンホルダー１０において、ペン保持部１１と取付部１２とは鈍角を成して隣接しているので、例えば、図９（ａ）に示すように、カレンダー５０に取り付けられたカレンダー用ペンホルダー１０のペン保持部１１とカレンダー用紙５１との間に間隙ができるため、カレンダー用紙５１がカレンダー用ペンホルダー１０（ペン保持部１１）に引っ掛かることはなく、カレンダー用紙５１を好適にめくることができる。
【００４８】
また、図９（ｂ）に示すように、カレンダー用ペンホルダー１０のペン保持部１１は筒断面が四角形であることに限らず、筒断面が弓形を呈するペン保持部１１であってもよい。
筒断面が弓形を呈するペン保持部１１を備えているカレンダー用ペンホルダー１０の場合、略長方形状を呈する薄板材１０ａには、その一端部１０１側から、第１折り線１、第２折り線２の順に、２本の折り線が設けられている。
そして、第１折り線１と第２折り線２の間の第二面部を弓状に撓らせた態様で、薄板材１０ａの一端側の一の面が薄板材１０ａの他端側の他の面に貼着されている。
このような略弓形筒状のペン保持部１１であれば、取付部１２から離間した部分が狭隘に形成されているので、比較的内部空間１１ａが広い箇所から挿し入れたペンＰが、ペン保持部１１の下部側でホールドされるようになっているので、ペン保持部１１に保持されたペンＰがカレンダー用ペンホルダー１０から抜け落ち難い。
【００４９】
また、このカレンダー用ペンホルダー１０において、ペン保持部１１と取付部１２とは鈍角を成して隣接しているので、例えば、図９（ｂ）に示すように、カレンダー５０に取り付けられたカレンダー用ペンホルダー１０のペン保持部１１とカレンダー用紙５１との間に間隙ができるため、カレンダー用紙５１がカレンダー用ペンホルダー１０（ペン保持部１１）に引っ掛かることはなく、カレンダー用紙５１を好適にめくることができる。
【００５０】
また、図９（ａ）や図９（ｂ）に示すカレンダー用ペンホルダー１０において、ペン保持部１１における薄板材１０ａの一の面（外面）に、所望するプリントが施されてなる情報掲示部１４（図示省略）が設けられているようにしてもよい。
このカレンダー用ペンホルダー１０のペン保持部１１に情報掲示部１４（図示省略）が設けられていれば、上述したように、カレンダー５０を閲覧するユーザーに何らかの情報を提供したり、カレンダー５０に趣向性を付与したりすることができる。
【００５１】
以上のように、本実施形態のカレンダー用ペンホルダー１０であれば、カレンダー５０にペンＰ（筆記具）を備え付け易く、また備え付けたペンＰ（筆記具）が抜け落ちないように保持することができる。
【００５２】
なお、以上の実施の形態においては、図１〜図８に示したカレンダー用ペンホルダー１０のように、薄板材１０ａが折り込まれてなるペン保持部１１において、薄板材１０ａの一端部１０１の端辺を第４折り線４に沿わせるようにしたが、本考案はこれに限定されるものではなく、薄板材１０ａの一端部１０１の端辺は第４折り線４に沿わせていなくてもよい。
同様に、図９（ａ）に示したカレンダー用ペンホルダー１０のように、薄板材１０ａの一端部１０１の端辺を第３折り線３に沿わせることに限らず、薄板材１０ａの一端部１０１の端辺は第３折り線３に沿わせていなくてもよい。
また同様に、図９（ｂ）に示したカレンダー用ペンホルダー１０のように、薄板材１０ａの一端部１０１の端辺を第２折り線２に沿わせることに限らず、薄板材１０ａの一端部１０１の端辺は第２折り線２に沿わせていなくてもよい。
【００５３】
また、以上の実施の形態においては、カレンダー用ペンホルダー１０となる薄板材１０ａに予め両面テープである第１の貼着部材１０ｂが設けられているものを図示して説明したが、第１の貼着部材１０ｂは、本考案のカレンダー用ペンホルダー１０の必須の構成要件ではない。
第１の貼着部材１０ｂは、薄板材１０ａを折り込んで形成するカレンダー用ペンホルダー１０（ペン保持部１１）の形状を維持するための部材であり、ユーザーが薄板材１０ａを折り込む際にユーザーが準備したものを適宜使用すればよい。
勿論、ユーザーの手間を省くため、カレンダー用ペンホルダー１０となる薄板材１０ａに予め両面テープなどの第１の貼着部材１０ｂを設けておいてもよい。
【００５４】
また、以上の実施の形態においては、カレンダー用ペンホルダー１０となる薄板材１０ａに予め両面テープである第２の貼着部材１０ｃが設けられているものを図示して説明したが、第２の貼着部材１０ｃは、本考案のカレンダー用ペンホルダー１０の必須の構成要件ではない。
第２の貼着部材１０ｃは、取付部１２をカレンダー５０の一部に取り付けるための部材であり、カレンダー用ペンホルダー１０をカレンダー５０に取り付ける際に、ユーザーが準備したものを適宜使用すればよい。
勿論、ユーザーの手間を省くため、カレンダー用ペンホルダー１０となる薄板材１０ａに予め両面テープなどの第２の貼着部材１０ｃを設けておいてもよい。
【００５５】
また、以上の実施の形態においては、カレンダー用ペンホルダー１０をカレンダー５０に取り付けるための構造として、両面テープや接着剤（接着材）である第２の貼着部材１０ｃが設けられた取付部１２を例に説明したが、本考案はこれに限定されるものではない。
例えば、カレンダー５０に設けられた横一文字状の切込みに対して挿し込むことができる舌状の切片が設けられた取付部１２を備えたカレンダー用ペンホルダー１０であってもよい。
このような取り付け構造であっても、カレンダー５０の一部に設けられている横一文字状の切込みに、取付部１２に設けられている舌状の切片を差し込むようにして、カレンダー用ペンホルダー１０をカレンダー５０に取り付けることができる。
【００５６】
また、その他、具体的な細部構造等についても適宜に変更可能であることは勿論である。
【符号の説明】
【００５７】
１      第１折り線
２      第２折り線
３      第３折り線
４      第４折り線
１０ａ  薄板材
１０ｂ  第１の貼着部材
１０ｃ  第２の貼着部材
１０１  一端部
１０２  他端部
１０    カレンダー用ペンホルダー
１１    ペン保持部
１１ａ  内部空間
１２    取付部
１３    マーク
１４    情報掲示部
５０    カレンダー
５１    カレンダー用紙
５２    台紙
５３    綴じ具
Ｍ      目印
Ｐ      ペン（筆記具）
【図１】
0003234745.tif 000003
【図２】
0003234745.tif 000004
【図３】
0003234745.tif 000005
【図４】
0003234745.tif 000006
【図５】
0003234745.tif 000007
【図６】
0003234745.tif 000008
【図７】
0003234745.tif 000009
【図８】
0003234745.tif 000010
【図９】
0003234745.tif 000011